(57)【特許請求の範囲】
【請求項１】
複数の第１接続端子と、
前記複数の第１接続端子にそれぞれ接続される複数の第２接続端子と、
前記複数の第１接続端子を保持する第１ハウジングと、
前記複数の第２接続端子を保持する第２ハウジングと、
前記第１ハウジングと前記第２ハウジングとが嵌合されたとき、前記複数の第１接続端子と前記複数の第２接続端子との各接点間に介在する複数の絶縁部材とを備え、
前記複数の第１接続端子、前記複数の第２接続端子、及び前記複数の絶縁部材が前記第１ハウジングと前記第２ハウジングとの嵌合状態で積層構造となるコネクタ装置において、
前記第１ハウジングに回転可能に支持された回転部材を有し、前記回転部材の回転により、前記積層構造となった前記複数の第１接続端子、前記複数の第２接続端子、及び前記複数の絶縁部材をこれらの積層方向に押圧する押圧力を発生する押圧機構と、
前記第１ハウジングと前記第２ハウジングとの非嵌合状態で、前記回転部材の前記押圧力を発生させる方向への回転を抑止することが可能な回転抑止機構と、
前記第１ハウジングと前記第２ハウジングとの嵌合により前記回転抑止機構による前記回転部材の回転の抑止を解除して、前記回転部材を回転可能とする回転抑止解除機構と、
を備え、
前記回転抑止機構は、前記第１ハウジング側に設けられ、弾性変形可能な弾性支持部に支持されて前記回転部材を係止し、前記回転部材の回転を抑止する係止片を有し、
前記回転抑止解除機構は、前記第２ハウジング側に設けられた突起を有し、前記突起は、前記第１ハウジングと前記第２ハウジングとが嵌合される際に前記係止片による前記回転部材の係止を解除する方向に前記係止片を変位させる、
コネクタ装置。
【請求項２】
前記回転部材には、その径方向外側に開口し、前記押圧力を発生させない回転位置で前記係止片と係合する凹部が形成され、
前記突起は、前記第１ハウジングの少なくとも一部を収容するように形成された前記第２ハウジングの収容部の内側に設けられ、
前記回転抑止解除機構は、前記第１ハウジングと前記第２ハウジングとの嵌合方向に対して傾斜するように前記係止片に形成された傾斜面と前記突起との接触により、前記係止片を前記回転部材の径方向外側に変位させる、
請求項１に記載のコネクタ装置。
【請求項３】
前記回転部材は、その回転中心部に当該回転部材を回転させるための工具の先端部を受容する工具受容部を有し、
前記第２ハウジングの前記収容部は、前記第１ハウジングと前記第２ハウジングとの嵌合が完了した状態で、前記回転部材の前記工具受容部に対応する位置に貫通孔が形成されている、
請求項２に記載のコネクタ装置。
【請求項４】
前記第１ハウジングにスライド可能に設けられ、前記回転部材の少なくとも一部を覆う蓋部材を備え、
前記蓋部材は、前記回転部材を回転させるための工具を挿通させる工具挿通孔と、前記回転部材側に突出した突出部とを有すると共に、前記工具挿通孔が前記回転部材の前記工具受容部に対応する第１位置と、前記突出部によって前記回転部材の回転を抑止することが可能な第２位置との間を移動可能である、
請求項３に記載のコネクタ装置。
【請求項５】
前記蓋部材は、前記回転部材の少なくとも一部を覆い、前記工具挿通孔及び前記突出部が形成された蓋部と、前記係止片及び前記弾性支持部とを一体に有する、
請求項４に記載のコネクタ装置。
【発明の詳細な説明】
【技術分野】
【０００１】
本発明は、それぞれが複数の接続端子を保持する第１ハウジングと第２ハウジングとを嵌合した後に、これら両ハウジングの複数の接続端子を押圧することが可能な押圧機構を備えたコネクタ装置に関する。
【背景技術】
【０００２】
従来、例えば電気自動車の駆動源としての電気モータに電流を供給する電流供給経路に設けられ、電力ハーネス同士、又は電力ハーネスとモータもしくはインバータとの間を着脱可能とするコネクタが用いられている。この種のコネクタとして、第１コネクタ部と第２コネクタ部とを結合し、両コネクタ部のそれぞれの接続端子同士を押圧して接触させることが可能なものが知られている（例えば、特許文献１参照）。
【０００３】
特許文献１に記載されたコネクタは、複数の第１接続端子が収容される第１ハウジングを有する第１コネクタ部と、複数の第２接続端子が収容される第２ハウジングを有する第２コネクタ部とを備え、第１コネクタ部と第２コネクタ部とを嵌合させると、第１接続端子と第２接続端子とが交互に配置される積層状態となるように構成されている。このコネクタはさらに、複数の第１接続端子の一方の面に固定される複数の絶縁部材と、これら複数の絶縁部材を押圧することで複数の第１接続端子と複数の第２接続端子とを各接点にて一括して固定し電気的に接続させる接続部材とを備えている。
【０００４】
この接続部材は、外部から操作可能な頭部と、頭部に接続された軸部と、軸部の外周を覆う絶縁層とからなる。軸部は、複数の第１接続端子、複数の第２接続端子、及び複数の絶縁部材を貫通し、その先端には第１ハウジングに螺合するネジ部が形成されている。そして、接続部材は、頭部が回転操作されることにより、ネジ部が第１ハウジングに螺合して、頭部が弾性部材を介して複数の第１接続端子と複数の第２接続端子とを押圧するように構成されている。
【先行技術文献】
【特許文献】
【０００５】
【特許文献１】米国特許公報第７，８９２，０３８号
【発明の概要】
【発明が解決しようとする課題】
【０００６】
しかし、第１ハウジングと第２ハウジングとを嵌合する前に、接続部材が回転操作されると、両ハウジングを嵌合する際に、第１接続端子と第２接続端子とが押圧された状態で擦れ合い、これら接続端子の表面に形成されためっきが剥がれる等の問題が生じるおそれがある。
【０００７】
そこで、本発明の目的は、第１ハウジングと第２ハウジングとの嵌合前に、第１接続端子と第２接続端子を押圧する押圧力を発生させる操作がなされることを抑制することが可能なコネクタ装置を提供することにある。
【課題を解決するための手段】
【０００８】
本発明は、上記課題を解決することを目的として、複数の第１接続端子と、前記複数の第１接続端子にそれぞれ接続される複数の第２接続端子と、前記複数の第１接続端子を保持する第１ハウジングと、前記複数の第２接続端子を保持する第２ハウジングと、前記第１ハウジングと前記第２ハウジングとが嵌合されたとき、前記複数の第１接続端子と前記複数の第２接続端子との各接点間に介在する複数の絶縁部材とを備え、前記複数の第１接続端子、前記複数の第２接続端子、及び前記複数の絶縁部材が前記第１ハウジングと前記第２ハウジングとの嵌合状態で積層構造となるコネクタ装置において、前記第１ハウジングに回転可能に支持された回転部材を有し、前記回転部材の回転により、前記積層構造となった前記複数の第１接続端子、前記複数の第２接続端子、及び前記複数の絶縁部材をこれらの積層方向に押圧する押圧力を発生する押圧機構と、前記第１ハウジングと前記第２ハウジングとの非嵌合状態で、前記回転部材の前記押圧力を発生させる方向への回転を抑止することが可能な回転抑止機構と、前記第１ハウジングと前記第２ハウジングとの嵌合により前記回転抑止機構による前記回転部材の回転の抑止を解除して、前記回転部材を回転可能とする回転抑止解除機構と、を備え、前記回転抑止機構は、前記第１ハウジング側に設けられ、弾性変形可能な弾性支持部に支持されて前記回転部材を係止し、前記回転部材の回転を抑止する係止片を有し、前記回転抑止解除機構は、前記第２ハウジング側に設けられた突起を有し、前記突起は、前記第１ハウジングと前記第２ハウジングとが嵌合される際に前記係止片による前記回転部材の係止を解除する方向に前記係止片を変位させる、コネクタ装置を提供する。
【００１０】
また、前記回転部材には、その径方向外側に開口し、前記押圧力を発生させない回転位置で前記係止片と係合する凹部が形成され、前記突起は、前記第１ハウジングの少なくとも一部を収容するように形成された前記第２ハウジングの収容部の内側に設けられ、前記回転抑止解除機構は、前記第１ハウジングと前記第２ハウジングとの嵌合方向に対して傾斜するように前記係止片に形成された傾斜面と前記突起との接触により、前記係止片を前記回転部材の径方向外側に変位させるようにしてもよい。
【００１１】
また、前記回転部材は、その回転中心部に当該回転部材を回転させるための工具の先端部を受容する工具受容部を有し、前記第２ハウジングの前記収容部は、前記第１ハウジングと前記第２ハウジングとの嵌合が完了した状態で、前記回転部材の前記工具受容部に対応する位置に貫通孔が形成されていてもよい。
【００１２】
また、前記第１ハウジングにスライド可能に設けられ、前記回転部材の少なくとも一部を覆う蓋部材を備え、前記蓋部材は、前記回転部材を回転させるための工具を挿通させる工具挿通孔と、前記回転部材側に突出した突出部とを有すると共に、前記工具挿通孔が前記回転部材の前記工具受容部に対応する第１位置と、前記突出部によって前記回転部材の回転を抑止することが可能な第２位置との間を移動可能であってもよい。
【００１３】
また、前記蓋部材は、前記回転部材の少なくとも一部を覆い、前記工具挿通孔及び前記突出部が形成された蓋部と、前記係止片及び前記弾性支持部とを一体に有してもよい。
【発明の効果】
【００１４】
本発明に係るコネクタ装置によれば、第１ハウジングと第２ハウジングとの嵌合前に第１接続端子と第２接続端子とを押圧する押圧力を発生させる操作がなされることを抑制することが可能となる。
【図面の簡単な説明】
【００１５】
【図１Ａ】本発明の実施の形態に係るコネクタ装置の構成例を示す正面図である。
【図１Ｂ】図１ＡのＡ−Ａ断面図である。
【図２Ａ】雄側ハウジングと雌側ハウジングとが嵌合されたコネクタ装置の構成例を示す正面図である。
【図２Ｂ】図２ＡのＡ−Ａ断面図である。
【図３】押圧機構が作動した状態のコネクタ装置の構成例を示す断面図である。
【図４Ａ】蓋部材がスライド移動した状態のコネクタ装置の構成例を示す正面図である。
【図４Ｂ】図４ＡのＡ−Ａ断面図である。
【図５】雄側ハウジングの第１エレメントの構成を示す外観図であり、（ａ）は正面図、（ｂ）は側面図である。
【図６】蓋部材の構成を示す外観図であり、（ａ）は斜視図、（ｂ）は裏面図、（ｃ）は側面図である。
【図７】雄側ハウジングの第１エレメントと蓋部材とが組み合わされた状態を示し、（ａ）は蓋部材が第１位置にある状態の正面図、（ｂ）は（ａ）に示す状態の側面図、（ｃ）は蓋部材が第２位置にある状態の正面図、（ｄ）は（ｃ）に示す状態の側面図である。
【図８】雌側ハウジングの第１エレメントの構成を示す外観図であり、（ａ）は斜視図、（ｂ）は（ａ）のＡ矢視図、（ｃ）は（ａ）のＢ矢視図である。
【図９】回転部材及びカムリングの構造及び動作を示し、（ａ）は回転部材及びカムリングの斜視図、（ｂ）〜（ｄ）は回転部材及びカムリングの動作状態を示す側面図である。
【図１０】回転抑止機構の構成を説明する説明図であり、（ａ）は雌コネクタの第１ハウジングの一部を切り欠いて示すコネクタ装置の正面図、（ｂ）は（ａ）の部分拡大図である。
【図１１】回転抑止解除機構の構成及び作用を説明する説明図であり、（ａ）は雌コネクタの第１ハウジングの一部を切り欠いて示すコネクタ装置の正面図、（ｂ）は（ａ）の部分拡大図、（ｃ）は、突起が折り返し部の傾斜面に接触した状態を示す状態図である。
【図１２】（ａ）〜（ｃ）は、回転操作防止機構の構成及び作用を説明する説明図である。
【発明を実施するための形態】
【００１６】
［実施の形態］
図１Ａは、本発明の実施の形態に係るコネクタ装置１０の構成例を示す正面図であり、図１Ｂは図１ＡのＡ−Ａ断面図である。
【００１７】
このコネクタ装置１０は、雄コネクタ１１及び雌コネクタ１２を有している。雄コネクタ１１と雌コネクタ１２とは、雄コネクタ１１の雄側ハウジング２１と雌コネクタ１２の雌側ハウジング２２とを嵌合することにより結合される。本実施の形態では、雄側ハウジング２１の一部が雌側ハウジング２２に収容されるように、雄側ハウジング２１と雌側ハウジング２２との嵌合が行われる。
【００１８】
図１Ｂに示すように、雌コネクタ１２には、例えば車両の駆動源としての電気モータに電流を供給するための３本の電線１３１，１３２，１３３が接続されている。この電気モータは例えば三相交流モータであり、３本の電線１３１，１３２，１３３は、三相交流モータに各相電流を供給する。また、この電気モータが搭載される車両としては、例えば電気モータを単一の駆動源とする電気自動車や、電気モータ及び内燃機関であるエンジンを併用して駆動源とする所謂ハイブリッド車が挙げられる。
【００１９】
（雄コネクタ１１の構成）
雄コネクタ１１は、複数の第１接続端子としての雄側接続端子３１１，３１２，３１３と、雄側接続端子３１１，３１２，３１３を保持する第１ハウジングとしての雄側ハウジング２１とを有している。
【００２０】
雄側接続端子３１１，３１２，３１３は、例えば銅合金からなる基材の表面を錫めっきしてなり、一端が平板状の接触片３１１ａ，３１２ａ，３１３ａとして形成されている。また、他端は後述する端子台部２１２ｃを構成する座金片３１１ｃ，３１２ｃ，３１３ｃとして形成されている。接触片３１１ａ，３１２ａ，３１３ａと座金片３１１ｃ，３１２ｃ，３１３ｃとは、連結部３１１ｂ，３１２ｂ，３１３ｂによって一体に連結されている。接触片３１１ａ，３１２ａ，３１３ａと座金片３１１ｃ，３１２ｃ，３１３ｃとは、それぞれの平面の向きが９０°異なっており、連結部３１１ｂ，３１２ｂ，３１３ｂは、この平面の向きを変更する平面変更部としても機能している。
【００２１】
雄側ハウジング２１は、アルミニウム等の金属製の第１エレメント２１１と、第１エレメント２１１に保持された樹脂製の第２エレメント２１２及び第３エレメント２１３とからなる。この樹脂としては、例えばＰＢＴ（ポリブチレンテレフタレート）、ＰＰＳ（ポリフェニレンスルファイド）、ＰＡ（ポリアミド）等の絶縁性樹脂を用いることができる。なお、第１エレメント２１１を、第２エレメント２１２及び第３エレメント２１３と同じ樹脂製としてもよい。
【００２２】
第１エレメント２１１は、雄側接続端子３１１，３１２，３１３の接触片３１１ａ，３１２ａ，３１３ａを収容する筒状の筒部２１１ａと、雄側ハウジング２１を機器のケース等の固定対象物に固定するための図略の貫通孔が形成されたフランジ部２１１ｂとを一体に有している。筒部２１１ａの外周面には、環状シール部材２３１が保持されている。また、フランジ部２１１ｂの一側面には、環状シール部材２３２が保持されている。
【００２３】
筒部２１１ａには、その内外に貫通する保持孔２１１ｃが形成されている。この保持孔２１１ｃには、後述する回転部材５１が回転可能に保持されている。保持孔２１１ｃの内面には、保持孔２１１ｃの中心に向かって突出する突起２１１ｄが形成されている。また、筒部２１１ａの内部には、保持孔２１１ｃに対向する凸部２１１ｋが形成されている。凸部２１１ｋは、保持孔２１１ｃ側に向かって突き出るように形成されている。
【００２４】
また、筒部２１１ａには、その外周側における保持孔２１１ｃの近傍に、支持突起２１１ｅが形成されている。支持突起２１１ｅは、保持孔２１１ｃのフランジ部２１１ｂとは反対側の部位に、雄側ハウジング２１と雌側ハウジング２２との嵌合方向（図１Ａ及び図１Ｂに示すｘ軸方向）に沿ってフランジ部２１１ｂの反対側に向かって突出して形成されている。
【００２５】
図１Ａに示すように、支持突起２１１ｅには、後述する蓋部材６を係止（係り合って止めること）する係止突起２１１ｆが設けられている。この係止突起２１１ｆは、筒部２１１ａの外方に向かって突出して、支持突起２１１ｅと一体に形成されている。
【００２６】
またさらに、筒部２１１ａには、雌コネクタ１２の雌側ハウジング２２とランス嵌合するための嵌合突起２１１ｇが設けられている。
【００２７】
第２エレメント２１２は、その一部が第１エレメント２１１の筒部２１１ａに収容されて、第１エレメント２１１に保持されている。第２エレメント２１２と第１エレメント２１１のフランジ部２１１ｂとの間には、シール部材２３３が配置されている。
【００２８】
第２エレメント２１２は、第１エレメント２１１の筒部２１１ａに収容された支持部２１２ａと、第１エレメント２１１から突出した先端部に形成された端子台部２１２ｃと、支持部２１２ａと端子台部２１２ｃとの間に形成され、第３エレメント２１３を保持する保持部２１２ｂとを一体に有している。
【００２９】
支持部２１２ａは、後述する押圧機構５の押圧力を出力する出力部材５４を、押圧方向に移動可能に支持している。保持部２１２ｂには、雄側接続端子３１１，３１２，３１３の連結部３１１ｂ，３１２ｂ，３１３ｂを挿通させる３つの挿通孔２１２ｄが形成されている。この３つの挿通孔２１２ｄの内部には、第２エレメント２１２と雄側接続端子３１１，３１２，３１３の連結部３１１ｂ，３１２ｂ，３１３ｂとの間をシールする３つのシール部材２３４〜２３６がそれぞれ配置されている。
【００３０】
端子台部２１２ｃには、雄側接続端子３１１，３１２，３１３の座金片３１１ｃ，３１２ｃ，３１３ｃが並列して保持されている。座金片３１１ｃ，３１２ｃ，３１３ｃ及び端子台部２１２ｃには、接続対象の端子を固定するためのボルトを挿通させる３つの貫通孔３１ｃが形成されている。
【００３１】
第３エレメント２１３は、第２エレメント２１２の保持部２１２ｂに保持されている。第３エレメント２１３は、雄側接続端子３１１，３１２，３１３の連結部３１１ｂ，３１２ｂ，３１３ｂを、接触片３１１ａ，３１２ａ，３１３ａが等間隔かつ平行となるように保持している。
【００３２】
より詳細には、第３エレメント２１３は、雄側接続端子３１１，３１２，３１３のそれぞれに対応して３か所に形成された突起部２１３ａと、突起部２１３ａよりも接触片３１１ａ，３１２ａ，３１３ａ側に形成され、連結部３１１ｂ，３１２ｂ，３１３ｂを案内するガイド２１３ｂとを有している。そして、第３エレメント２１３は、突起部２１３ａによって雄側接続端子３１１，３１２，３１３の連結部３１１ｂ，３１２ｂ，３１３ｂを支持している。
【００３３】
また、雄コネクタ１１は、第１エレメント２１１に回転可能に支持された回転部材５１、回転部材５１の回転によるカム作用によって回転部材５１の回転軸線方向に進退移動するカムリング５２、及びカムリング５２に一端が当接するコイルばね５３、及びコイルばね５３の他端が当接する出力部材５４を有して構成される押圧機構５を備えている。押圧機構５の詳細については後述する。
【００３４】
またさらに、雄コネクタ１１は、第１エレメント２１１に対してスライド可能に雄側ハウジング２１側に設けられ、回転部材５１の少なくとも一部を覆う蓋部材６を備えている。蓋部材６は、雄側ハウジング２１と雌側ハウジング２２との嵌合方向に沿って、第１エレメント２１１に対してスライド可能である。また、蓋部材６には、回転部材５１に形成された工具受容部５１１ａ（後述）に対応する位置に、工具挿通孔６１ａが形成されている。蓋部材６の詳細については後述する。
【００３５】
（雌コネクタ１２の構成）
雌コネクタ１２は、複数の第２接続端子としての雌側接続端子３２１，３２２，３２３と、雌側接続端子３２１，３２２，３２３を保持する第２ハウジングとしての雌側ハウジング２２とを有している。雌側接続端子３２１，３２２，３２３には、電線１３１，１３２，１３３が電気的に接続されている。電線１３１，１３２，１３３は、導電性の金属からなる芯線１３１ａ，１３２ａ，１３３ａを、その先端部を除き、絶縁被膜１３１ｂ，１３２ｂ，１３３ｂで覆って構成されている。芯線１３１ａ，１３２ａ，１３３ａの断面積は、例えば１０〜４０ｍｍ２である。
【００３６】
雌側接続端子３２１，３２２，３２３は、例えば銅合金からなる基材の表面を錫めっきしてなり、一端が平板状の接触片３２１ａ，３２２ａ，３２３ａとして形成されている。また、他端は電線１３１，１３２，１３３の芯線１３１ａ，１３２ａ，１３３ａの先端部を加締め固定する加締め部３２１ｂ，３２２ｂ，３２３ｂとして形成されている。
【００３７】
雌側ハウジング２２は、第１エレメント２２１と、第１エレメント２２１に保持された第２エレメント２２２とからなる。第１エレメント２２１及び第２エレメント２２２の材料としては、雄側ハウジング２１の第２エレメント及び第３エレメントと同様の絶縁性樹脂を用いることができる。
【００３８】
第１エレメント２２１は、雌側接続端子３２１，３２２，３２３の接触片３２１ａ，３２２ａ，３２３ａを収容する収容部２２１ａと、雌側接続端子３２１，３２２，３２３の加締め部３２１ｂ，３２２ｂ，３２３ｂを保持する保持部２２１ｂとを一体に有している。
【００３９】
収容部２２１ａには、雄側ハウジング２１と雌側ハウジング２２の嵌合時において回転部材５１の工具受容部５１１ａに対応する位置に、貫通孔２２１ｃが形成されている。また、収容部２２１ａの外側の面には、図１Ａに示すように、雄コネクタ１１の第１エレメント２１１に設けられた嵌合突起２１１ｇとランス嵌合する嵌合凹部２２１ｄが形成されている。
【００４０】
保持部２２１ｂは、その外周囲の一部が金属製のカバー部材１４によって覆われている。また、保持部２２１ｂに形成された、電線１３１，１３２，１３３を挿通させるための開口２２１ｅには、電線１３１，１３２，１３３と開口２２１ｅの内面との間を封止するシール部材２２３が配置されている。また、保持部２２１ｂの外面には、雄コネクタ１１の第１エレメント２１１との間を封止するためのシール部材２２４が配置されている。
【００４１】
第２エレメント２２２は、電気絶縁性を有する絶縁材料からなる第１絶縁部材４１、第２絶縁部材４２、第３絶縁部材４３、及び第４絶縁部材４４を保持している。この絶縁材料としては、例えばＰＰＳ（ポリフェニレンサルファイド）、ＰＰＡ（ポリフタルアミド）、ＰＡ（ポリアミド）、ＰＢＴ（ポリブチレンテレフタレート）や、エポキシ系樹脂等の樹脂材料を用いることができる。
【００４２】
第１絶縁部材４１と第２絶縁部材４２との間には接触片３２１ａが、第２絶縁部材４２と第３絶縁部材４３との間には接触片３２２ａが、第３絶縁部材４３と第４絶縁部材４４との間には接触片３２３ａが、それぞれ介在している。
【００４３】
また、第１絶縁部材４１には、凹部４１ａが形成され、この凹部４１ａに接触片３２１ａが保持されている。同様に、第２絶縁部材４２及び第３絶縁部材４３には、凹部４２ａ，４３ａが形成され、この凹部４２ａ，４３ａに接触片３２２ａ，３２３ａが保持されている。
【００４４】
第２エレメント２２２は、第１絶縁部材４１、第２絶縁部材４２、第３絶縁部材４３、及び第４絶縁部材４４を、接触片３２１ａ，３２２ａ，３２３ａに垂直な方向（ｚ軸方向）に配列し、これら第１〜第４絶縁部材４１〜４４を所定の範囲で平行移動可能に保持している。
【００４５】
図２Ａは、雄側ハウジング２１と雌側ハウジング２２とが嵌合し、雄コネクタ１１と雌コネクタ１２が結合された状態におけるコネクタ装置１０の構成例を示す正面図である。図２Ｂは、図２ＢのＡ−Ａ断面図である。
【００４６】
図２Ａ及び図２Ｂでは、雄コネクタ１１の第１エレメント２１１の筒部２１１ａが蓋部材６と共に雌コネクタ１２の第１エレメント２２１の収容部２２１ａに収容されるように、雄側ハウジング２１と雌側ハウジング２２とが嵌合方向（ｘ軸方向）に相対移動し、雄側ハウジング２１と雌側ハウジング２２との嵌合が完了した嵌合状態を示している。
【００４７】
この嵌合状態では、雌側ハウジング２２の第１エレメント２２１における収容部２２１ａに形成された貫通孔２２１ｃが、回転部材５１の工具受容部５１１ａ、及び蓋部材６の工具挿通孔６１ａに対応する位置にあり、貫通孔２２１ｃ及び工具挿通孔６１ａを介して外部から工具受容部５１１ａに工具Ｔを嵌め合わせることが可能である。
【００４８】
また、この嵌合状態では、雄側接続端子３１１の接触片３１１ａが、第１絶縁部材４１に保持された雌側接続端子３２１の接触片３２１ａと第２絶縁部材４２との間に挟まれている。また、雄側接続端子３１２の接触片３１２ａが、第２絶縁部材４２に保持された雌側接続端子３２２の接触片３２２ａと第３絶縁部材４３との間に挟まれている。またさらに、雄側接続端子３１３の接触片３１３ａが、第３絶縁部材４３に保持された雌側接続端子３２３の接触片３２３ａと第４絶縁部材４４との間に挟まれている。
【００４９】
このように、雄側ハウジング２１と雌側ハウジング２２との嵌合状態では、第１絶縁部材４１、雌側接続端子３２１の接触片３２１ａ、雄側接続端子３１１の接触片３１１ａ、第２絶縁部材４２、雌側接続端子３２２の接触片３２２ａ、雄側接続端子３１２の接触片３１２ａ、第３絶縁部材４３、雌側接続端子３２３の接触片３２３ａ、雄側接続端子３１３の接触片３１３ａ、及び第４絶縁部材４４が、積層方向（ｚ軸方向）に上記の順序で積層された積層構造となる。
【００５０】
すなわち、第１絶縁部材４１、第２絶縁部材４２、第３絶縁部材４３、及び第４絶縁部材４４は、雄側ハウジング２１と雌側ハウジング２２とが嵌合されたとき、雄側接続端子３１１と雌側接続端子３２１、雄側接続端子３１２と雌側接続端子３２２、及び雄側接続端子３１３と雌側接続端子３２３の各接点間に介在する。
【００５１】
また、図２Ａ及び図２Ｂに示す状態では、押圧機構５が押圧力を発生しておらず、雄側接続端子３１１，３１２，３１３と雌側接続端子３２１，３２２，３２３とがその弾性や自重等によって接触し得るものの、雄側接続端子３１１，３１２，３１３と雌側接続端子３２１，３２２，３２３とが接触する方向に押し付けられてはいない。
【００５２】
コネクタ装置１０は、雄コネクタ１１と雌コネクタ１２とを結合し、回転部材５１を回転させて押圧機構５に雄側接続端子３１１，３１２，３１３と雌側接続端子３２１，３２２，３２３とを積層方向に押圧する押圧力を発生させ、さらに蓋部材６をスライドさせることにより、雄コネクタ１１と雌コネクタ１２とを接続させる作業工程が完了する。
【００５３】
図３は、回転部材５１の回転に伴って、カムリング５２が回転部材５１から離間する方向に移動した状態を示している。この状態では、押圧機構５が、積層構造となった雄側接続端子３１１〜３１３、雌側接続端子３２１〜３２３、及び第１〜第４絶縁部材４１〜４４を積層方向に押圧する押圧力を発生している。この押圧力により、雄側接続端子３１１〜３１３と雌側接続端子３２１〜３２３とが、それぞれの接点において互いに接触する方向の荷重を受けて接触している。
【００５４】
図４Ａは、図３に示す状態からさらに、蓋部材６がスライド移動した状態を示す正面図である。図４Ｂは、図４ＡのＡ−Ａ断面図である。この状態では、蓋部材６によって回転部材５１の回転が抑止され、かつ雌側ハウジング２２の第１エレメント２２１の貫通孔２２１ｃが蓋部材６によって塞がれ、外部から回転部材５１を回転させることができないようになっている。また、図３に示す状態では、蓋部材６の被支持部６７の一部が雌側ハウジング１２から露出していたが、蓋部材６のスライド移動により、蓋部材６の被支持部６７が雌側ハウジング１２内に収容されている。
【００５５】
（雄側ハウジング２１の第１エレメント２１１の構成）
図５は、雄側ハウジング２１の第１エレメント２１１の構成を示す外観図であり、（ａ）は正面図、（ｂ）は側面図である。
【００５６】
第１エレメント２１１は、フランジ部２１１ｂの保持孔２１１ｃ側の部位に、雄側ハウジング２１と雌側ハウジング２２との嵌合方向に沿って延びる一対の案内溝２１１ｉ，２１１ｊが形成されている。案内溝２１１ｉ，２１１ｊは互いに平行であり、その延伸方向におけるそれぞれの延長線同士の間に保持孔２１１ｃ及び支持突起２１１ｅを挟む位置に形成されている。
【００５７】
また、第１エレメント２１１の凸部２１１ｋは、保持孔２１１ｃに対向し、少なくとも雄側接続端子３１１〜３１３と雌側接続端子３２１〜３２３との各接点に対応して押圧機構５の押圧力を受ける位置を含む範囲に形成されている。この凸部２１１ｋの先端面は、雄側ハウジング２１と雌側ハウジング２２との嵌合方向に対して平行な平面であり、雄コネクタ１１と雌コネクタ１２との結合状態において第４絶縁部材４４に対向する。
【００５８】
（蓋部材６の構成）
図６は、蓋部材６の構成を示す外観図であり、（ａ）は斜視図、（ｂ）は裏面図、（ｃ）は側面図である。
【００５９】
蓋部材６は、例えばＰＢＴ（ポリブチレンテレフタレート）、ＰＰＳ（ポリフェニレンスルファイド）、ＰＡ（ポリアミド）等の絶縁性樹脂からなり、第１の板部６１と第２の板部６２とを一体に有している。第１の板部６１は、上記積層構造の積層方向（図１Ｂのｚ軸方向）に厚みを有し、雄側ハウジング２１と雌側ハウジング２２との嵌合方向が長手方向となるように形成されている。第２の板部６２は、第１の板部６１の長手方向の一端に、第１の板部６１の長手方向に対して直交する方向に延びるように形成され、第１の板部６１と同じ厚み（ｚ軸方向の厚み）を有している。
【００６０】
第１の板部６１及び第２の板部６２は、回転部材５１の少なくとも一部を覆う蓋部６０を構成する。蓋部６０はＴ字状を呈している。以下の説明では、蓋部６０の回転部材５１に対向する面を裏面６０ｂ、この反対側の面を表面６０ａとする。
【００６１】
第１の板部６１には、その幅方向（長手方向に直交する方向）の中央部に、回転部材５１を回転操作するための工具Ｔが挿入される工具挿通孔６１ａが形成されている。この工具挿通孔６１ａは第１の板部６１を厚さ方向に貫通している。また、第１の板部６１の裏面６０ｂ側には、工具挿通孔６１ａと長手方向に沿って並ぶように、円柱状の突出部６１１が設けられている。突出部６１１は、工具挿通孔６１ａが回転部材５１の工具受容部５１１ａに向かい合う位置にあるときに、回転部材５１の回転を妨げない位置に設けられている。
【００６２】
第１の板部６１の幅方向の一端面には、第１の板部６１の長手方向に平行に延びるように形成された第１弾性支持部６３が一体に形成されている。また、第１弾性支持部６３の先端部６３ｂには、第１係止部６４が一体に形成されている。第１弾性支持部６３は、その延伸方向に直交する面における断面積が、第１係止部６４を支持可能かつ弾性変形可能な大きさに設定されている。この第１弾性支持部６３の弾性により、第１係止部６４は、第１の板部６１の長手方向に対して直交する方向に移動可能である。
【００６３】
第１係止部６４の回転部材５１との対向面には、蓋部６０の厚み方向に突出する係止片６４１が設けられている。また、第１係止部６４には、第１弾性支持部６３と平行に、第１弾性支持部６３の根元部６３ａ側に向かって折り返すように形成された折り返し部６４２が設けられている。この折り返し部６４２には、第１の板部６１の長手方向、すなわち雄側ハウジング２１と雌側ハウジング２２との嵌合方向に対して第１の板部６１側を向くように傾斜した傾斜面６４２ａが形成されている。
【００６４】
第１の板部６１の長手方向における第２の板部６２とは反対側の一端部には、第１の板部６１の長手方向に沿って延びる第２弾性支持部６５を介して第２係止部６６が設けられている。第２弾性支持部６５及び第２係止部６６は、第１の板部６１と一体である。第２弾性支持部６５は、その延伸方向に直交する面における断面積が、第２係止部６６を支持可能かつ弾性変形可能な大きさに設定されている。第２係止部６６には、第１の板部６１の幅方向に突出する係止片６６１が形成されている。
【００６５】
また、第２弾性支持部６５及び第２係止部６６の裏面６０ｂ側には、雄側ハウジング２１の第１エレメント２１１に形成された支持突起２１１ｅ（図５に示す）に支持される被支持部６７が形成されている。被支持部６７は、第１の板部６１に対向する底板６７ａと、第１の板部６１の幅方向に互いに対向する一対の側板６７ｂとを一体に有している。そして、被支持部６７は、第１の板部６１、底板６７ａ、及び一対の側板６７ｂの間に形成される空間６７ｃに支持突起２１１ｅを収容可能に形成されている。
【００６６】
第２の板部６２には、その延伸方向の一端部に第１アーム６８が設けられ、同延伸方向の他端部に第２アーム６９が設けられている。第１アーム６８及び第２アーム６９は、第２の板部６２の両端部から裏面６０ｂ側に突出して設けられている。また、第１アーム６８及び第２アーム６９は、蓋部６０を雄側ハウジング２１と雌側ハウジング２２との嵌合方向に直交する方向に挟むように設けられている。
【００６７】
第１アーム６８の先端部には、第２アーム６９側に突出する係合突起６８１が形成されている。また、第２アーム６９の先端部には、第１アーム６８側に突出する係合突起６９１が形成されている。係合突起６８１，６９１は、雄側ハウジング２１の第１エレメント２１１の案内溝２１１ｉ，２１１ｊ（図５に示す）にそれぞれ係合（係り合うこと）する。つまり、第１アーム６８及び第２アーム６９は、本発明の一対の係合部の一例である。この構成により、蓋部材６は、案内溝２１１ｉ，２１１ｊに案内され、雄側ハウジング２１と雌側ハウジング２２との嵌合方向に沿って、案内溝２１１ｉ，２１１ｊの長さに応じた範囲でスライド可能である。
【００６８】
図７は、雄側ハウジング２１の第１エレメント２１１と蓋部材６とが組み合わされた状態を示し、（ａ）は蓋部材６が第１エレメント２１１のフランジ部２１１ｂから最も離間した第１位置にある状態の正面図、（ｂ）は（ａ）に示す状態の側面図、（ｃ）は蓋部材６が第１エレメント２１１のフランジ部２１１ｂに最も接近した第２位置にある状態の正面図、（ｄ）は（ｃ）に示す状態の側面図である。
【００６９】
図７（ａ），（ｂ）に示す第１位置では、蓋部材６の工具挿通孔６１ａが保持孔２１１ｃの中心部に位置し、蓋部材６の被支持部６７は支持突起２１１ｅの先端部のみを収容し、第２係止部６６の係止片６６１は係止突起２１１ｆに係止されていない。
【００７０】
一方、図７（ｃ），（ｄ）に示す第２位置では、蓋部材６の工具挿通孔６１ａが保持孔２１１ｃの中心部から外れ、蓋部材６の被支持部６７は支持突起２１１ｅの略全体を収容し、第２係止部６６の係止片６６１が係止突起２１１ｆに係止されている。この第２係止部６６の係止により、蓋部材６は、第２位置で雄側ハウジング２１の第１エレメント２１１に係止され、第２位置から第１位置への移動が規制されている。
【００７１】
（雌側ハウジング２２の第１エレメント２２１の構成）
図８は、雌側ハウジング２２の第１エレメント２２１の構成を示す外観図であり、（ａ）は斜視図、（ｂ）は（ａ）のＡ矢視図、（ｃ）は（ａ）のＢ矢視図である。
【００７２】
図８（ｂ）及び（ｃ）に示すように、第１エレメント２２１には、蓋部材６が第１位置にあるときに、その被支持部６７を挿通させる開口２２１ｆが形成されている。
【００７３】
また、第１エレメント２２１には、筒部２１１ａの内側に、突起２２１ｇが設けられている。突起２２１ｇは、筒部２１１ａに形成された貫通孔２２１ｃに対し、雄側ハウジング２１と雌側ハウジング２２との嵌合方向に直交する方向にオフセットした位置に、筒部２１１ａと一体に形成されている。
【００７４】
また、突起２２１ｇは、雄側ハウジング２１と雌側ハウジング２２との嵌合方向に沿って延びるように形成され、雄側ハウジング２１と雌側ハウジング２２とが嵌合されたとき、雄コネクタ１１のフランジ部２１１ｂ側に位置する先端部２２１ｈと、開口２２１ｆ側に位置する根元部２２１ｉとから構成されている。先端部２２１ｈは、雄側ハウジング２１と雌側ハウジング２２との嵌合方向に直交する方向の幅が根元部２２１ｉよりも狭く形成されている。
【００７５】
第１エレメント２２１の開口２２１ｆからは、蓋部材６の第２係止部６６の端部を臨むことができる。蓋部材６が第２位置にあるとき、作業者は、蓋部材６の第２係止部６６を第１エレメント２２１の開口２２１ｆから、雄側ハウジング２１の係止突起２１１ｆへの係止を解除するように操作可能である。蓋部材６は、第２係止部６６の雄側ハウジング２１の係止突起２１１ｆへの係止が解除されると、第２位置から第１位置への移動が可能となる。
【００７６】
つまり、蓋部材６の第２係止部６６は、雄側ハウジング２１の係止突起２１１ｆへの係止を雌側ハウジング２２の外部から解除可能であり、蓋部材６は、第２係止部６６の雄側ハウジング２１の係止突起２１１ｆへの係止が解除されると、第２位置から第１位置への移動が可能となる。なお、第２係止部６６の係止を解除する操作は、例えばマイナスドライバー等の工具を開口２２１ｆから雌側ハウジング２２の内部に差し込み、係止片６６１を係止突起２１１ｆへの係止が解除される方向に動かすことで可能となる。
【００７７】
（コネクタ装置１０の各機構の構成）
コネクタ装置１０は、前述の押圧機構５に加え、雄側ハウジング２１と雌側ハウジング２２との非嵌合状態で、回転部材５１の押圧力を発生させる方向への回転を抑止することが可能な回転抑止機構７と、雄側ハウジング２１と雌側ハウジング２２との嵌合により回転抑止機構７による回転部材５１の回転の抑止を解除して、回転部材５１を回転可能とする回転抑止解除機構８と、押圧機構５が押圧力を発生した状態で回転部材５１の回転操作を防止する回転操作防止機構９とを備えている。なお、ここで回転を抑止するとは、コネクタ装置１０を構成する部材の破壊や変形を伴うような過剰な力が加わらない限り、その回転を制限することをいう。
【００７８】
以下、押圧機構５、回転抑止機構７、回転抑止解除機構８、及び回転操作防止機構９について、これらの機構の具体的な構成例を説明する。
【００７９】
（押圧機構５の構成）
押圧機構５は、雄側ハウジング２１と雌側ハウジング２２との嵌合状態における回転部材５１の回転により、雄側接続端子３１１〜３１３、雌側接続端子３２１〜３２３、及び第１〜第４絶縁部材４１〜４４からなる積層構造をこれらの積層方向に押圧する押圧力を発生する。
【００８０】
また、押圧機構５は、図１Ｂに示すように、回転部材５１と、回転部材５１の回転によるカム作用によって回転部材５１の回転軸に沿って進退移動するカムリング５２と、一端がカムリング５２に当接する弾性部材としてのコイルばね５３と、コイルばね５３の他端に当接して押圧力を出力する出力部材５４とを備えて構成されている。
【００８１】
回転部材５１は、底部５１１と円筒部５１２とを一体に有する有底円筒状に形成されたアルミニウム等の金属からなる。回転部材５１は、保持孔２１１ｃに固定された環状保持部材２１４によって抜け止め及び支持されている。環状保持部材２１４としては、例えばスナップリングを用いることができる。
【００８２】
円筒部５１２の外周面には、保持孔２１１ｃとの間を封止するシール部材２３７が配置されている。また、回転部材５１の底部５１１の回転中心部には、回転部材５１を回転させるための工具Ｔ（図２Ｂに示す）の先端部を受容する工具受容部５１１ａが形成されている。本実施の形態では、この工具受容部５１１ａが星型の凹所に形成されている。そして、この工具受容部５１１ａの形状に適合した工具Ｔの先端部を工具受容部５１１ａに嵌め合わせ、工具Ｔを回すことにより、回転部材５１を回転させることが可能となっている。
【００８３】
カムリング５２は、底部５２１と円筒部５２２とを一体に有する有底円筒状に形成されたアルミニウム等の金属からなる。カムリング５２は、円筒部５２２の一部及び底部５２１が回転部材５１の円筒部５１２内に収容されている。カムリング５２の円筒部５１２内には、コイルばね５３の一端が収容されている。
【００８４】
出力部材５４は、第２エレメント２１２の支持部２１２ａに、上記積層構造の積層方向（図１Ｂのｚ軸方向）に所定の範囲で平行移動可能に保持されている。
【００８５】
図９は、回転部材５１及びカムリング５２の構造及び動作を示し、（ａ）は回転部材５１及びカムリング５２の斜視図、（ｂ）〜（ｄ）は回転部材５１及びカムリング５２の動作を示す側面図である。
【００８６】
図９（ａ）に示すように、回転部材５１は、その回転軸線Ｏを含む領域に工具受容部５１１ａが形成された円柱状の底部５１１と、底部５１１よりも大径に形成された円筒部５１２とを有し、底部５１１と円筒部５１２との間の段差部が保持孔２１１ｃ（図１Ｂに示す）に固定された環状保持部材２１４と摺接するように構成されている。
【００８７】
底部５１１には、第１の凹部５１１ｂと、第２の凹部５１１ｃとが形成されている。第１の凹部５１１ｂ及び第２の凹部５１１ｃは、底部５１１の径方向外側に開口し、この開口から工具受容部５１１ａに向かって延びるように形成されている。
【００８８】
円筒部５１２には、シール部材２３７（図１Ｂに示す）を保持するための環状凹所５１２ａが形成されている。また、円筒部５１２の底部５１１とは反対側の端部には、回転軸線Ｏに平行な方向に突出する摺動突起５１２ｂが形成されている。なお、摺動突起５１２ｂは、円筒部５１２の周方向に等間隔に複数（本実施の形態では２つ）形成されているが、図９（ａ）では、このうちの１つの摺動突起５１２ｂのみを示している。
【００８９】
カムリング５２は、回転部材５１と回転軸線Ｏに沿って相対移動可能に組み合わされ、コイルばね５３（図１Ｂに示す）によって回転部材５１の底部５１１に向かって付勢されている。
【００９０】
カムリング５２の円筒部５２２は、小径部５２２ａと大径部５２２ｂとを有している。大径部５２２ｂの外周面には、円筒部５２２の軸方向に沿って延びるスライド溝５２２ｃが形成されている。スライド溝５２２ｃは、前述の突起２１１ｄ（図１Ｂ，図５（ａ）に示す）にスライド可能に係合し、カムリング５２を雄側ハウジング２１に対して回り止めしている。つまり、カムリング５２は、雄側ハウジング２１に対して回転規制されている。
【００９１】
小径部５２２ａと大径部５２２ｂとの間には、回転部材５１の回転に伴ってその摺動突起５１２ｂが摺動する摺動面５２３が形成されている。摺動面５２３は、第１の平坦面５２３ａと、第１の平坦面５２３ａに平行な第２の平坦面５２３ｃと、第１の平坦面５２３ａと第２の平坦面５２３ｃとの間に形成された傾斜面５２３ｂとから構成されている。第１の平坦面５２３ａ、傾斜面５２３ｂ、及び第２の平坦面５２３ｃは、複数の摺動突起５１２ｂのそれぞれに対応して複数組（本実施の形態では２組）形成されている。
【００９２】
第１の平坦面５２３ａ及び第２の平坦面５２３ｃは、円筒部５２２の径方向に対して平行で、かつ円筒部５２２の軸方向に対して直交し、回転部材５１の円筒部５１２の端面に対向するように形成されている。第１の平坦面５２３ａは、第２の平坦面５２３ｃよりも回転部材５１から離間した位置に形成されている。
【００９３】
また、傾斜面５２３ｂは、円筒部５２２の径方向に対して平行で、かつ円筒部５２２の軸方向に対して傾斜し、第１の平坦面５２３ａと第２の平坦面５２３ｃとの間を一定の傾斜角で接続するように形成されている。
【００９４】
また、大径部５２２ｂには、第２の平坦面５２３ｃの傾斜面５２３ｂとは反対側にあたる位置に、円筒部５２２の軸方向に窪んだ凹部５２２ｄが形成されている。この凹部５２２ｄには、回転部材５１の摺動突起５１２ｂが嵌合可能である。図９（ａ）では摺動突起５１２ｂが凹部５２２ｄに嵌合した状態を示している。
【００９５】
また、凹部５２２ｄの第２の平坦面５２３ｃとは反対側の端部には、摺動突起５１２ｂの円筒部５２２の周方向一側への移動を規制するストッパ部５２２ｅが形成されている。ストッパ部５２２ｅの凹部５２２ｄの底面からの高さ（円筒部５２２の軸方向の距離）は、第２の平坦面５２３ｃの凹部５２２ｄの底面からの高さよりも高く設定されている。
【００９６】
図９（ｂ）は、回転部材５１の摺動突起５１２ｂが、カムリング５２の第１の平坦面５２３ａに当接する位置にある状態を示している。以下、この状態を初期状態という。
【００９７】
この初期状態から回転部材５１がカムリング５２に対して正方向（図９（ａ）の矢印Ｒ１に示す方向）に回転すると、図９（ｃ）に示すように、回転部材５１の摺動突起５１２ｂがカムリング５２の傾斜面５２３ｂ上を摺動する。以下、この状態を中期状態という。この中期状態では、回転部材５１の回転角度に応じて、カムリング５２が回転軸線Ｏに沿って回転部材５１から離間する。
【００９８】
さらに回転部材５１がカムリング５２に対して正方向に回転すると、図９（ｄ）に示すように、回転部材５１の摺動突起５１２ｂがカムリング５２の第２の平坦面５２３ｃ上を摺動する。以下、この状態を終期状態という。この終期状態では、回転部材５１がカムリング５２に対して正方向に回転しても、カムリング５２は回転部材５１に対して軸方向移動しない。
【００９９】
終期状態からさらに回転部材５１がカムリング５２に対して正方向に回転すると、図９（ａ）に示すように、回転部材５１の摺動突起５１２ｂが凹部５２２ｄに嵌合した状態となる。以下、この状態を完了状態という。この完了状態では、回転部材５１の正方向への回転がストッパ部５２２ｅによって規制される。また、回転部材５１を逆方向（図９（ａ）の矢印Ｒ２に示す方向）に回転させる回転力が作用しても、摺動突起５１２ｂが凹部５２２ｄと第２の平坦面５２３ｃとの段差を乗り越えるために必要な力以上にこの回転力が大きくならなければ回転部材５１が回転しない。これにより、回転部材５１の逆方向への不用意な回転が抑制されている。
【０１００】
上記のように、回転部材５１が正方向に回転することでカムリング５２が回転軸線Ｏに沿って回転部材５１から離間する方向に移動し、コイルばね５３を圧縮する。この際、回転部材５１は回転軸線Ｏ方向に移動せず、環状保持部材２１４と摺接する。
【０１０１】
コイルばね５３は、その復元力によって出力部材５４を押圧する。出力部材５４と雄側ハウジング２１の第１エレメント２１１に形成された凸部２１１ｋとの間には、雄側接続端子３１１〜３１３、雌側接続端子３２１〜３２３、及び第１〜第４絶縁部材４１〜４４からなる積層構造が介在するので、圧縮されたコイルばね５３の復元力が上記積層構造を積層方向に押圧する押圧力となる。図９（ｄ）に示す終期状態、及び図９（ａ）に示す完了状態では、押圧機構５の押圧力が、例えば車両の振動を受けても、雄側接続端子３１１〜３１３と雌側接続端子３２１〜３２３との安定的接続が保証される押圧力以上となっている。
【０１０２】
（回転抑止機構７の構成）
図１０は、回転抑止機構７の構成を説明する説明図であり、（ａ）は雌コネクタ１２の第１エレメント２２１の一部を切り欠いて示すコネクタ装置１０の正面図、（ｂ）は（ａ）の部分拡大図である。
【０１０３】
図１０（ａ）に示すように、雄側ハウジング２１と雌側ハウジング２２とが嵌合される前の非嵌合状態では、蓋部材６が図７（ａ），（ｂ）に示す第１位置にある。また、回転部材５１は、押圧機構５が押圧力を発生しない第１回転位置にある。この第１回転位置では、回転部材５１の第１の凹部５１１ｂの延伸方向が蓋部材６の第１の板部６１の長手方向に直交する方向となっている。回転抑止機構７は、この非嵌合状態で、回転部材５１の正方向（図９（ａ）に示すＲ１方向）への回転を抑止している。
【０１０４】
図１０（ｂ）に拡大して示すように、雄側ハウジング２１及び雌側ハウジング２２の非嵌合状態では、第１弾性支持部６３が外力によって弾性変形していない自然形状である。この状態では、第１弾性支持部６３に支持された第１係止部６４の係止片６４１が、回転部材５１の底部５１１に形成された第１の凹部５１１ｂと係合し、回転部材５１の回転を抑止している。
【０１０５】
つまり、回転抑止機構７は、蓋部材６の第１弾性支持部６３、第１弾性支持部６３に支持された第１係止部６４の係止片６４１、及び第１の凹部５１１ｂが形成された回転部材５１の底部５１１を構成要素とし、第１の凹部５１１ｂと係止片６４１とが係合することで、回転部材５１の回転を抑止する。
【０１０６】
また、この第１の凹部５１１ｂと係止片６４１との係合により、蓋部材６の第１の板部６１の長手方向への移動も抑止されている。
【０１０７】
（回転抑止解除機構８の構成）
図１１は、回転抑止解除機構８の構成及び作用を説明する説明図であり、（ａ）は雌コネクタ１２の第１エレメント２２１の一部を切り欠いて示すコネクタ装置１０の正面図、（ｂ）は（ａ）の部分拡大図、（ｃ）は、突起２２１ｇが折り返し部６４２の傾斜面６４２ａに接触した状態を示す状態図である。
【０１０８】
図１１（ａ）に示すように、雄側ハウジング２１と雌側ハウジング２２とが嵌合された嵌合状態では、雌コネクタ１２の第１エレメント２２１に設けられた突起２２１ｇが蓋部材６の折り返し部６４２に接触し、第１弾性支持部６３を弾性変形させている。この第１弾性支持部６３の弾性変形により、第１係止部６４が回転部材５１の径方向外側に移動し、第１の凹部５１１ｂと係止片６４１との係合が解除されている。
【０１０９】
この工程を詳述すると、雄側ハウジング２１と雌側ハウジング２２とを嵌合する際に、雌側ハウジング２２側に設けられた突起２２１ｇが蓋部材６の折り返し部６４２に接近するように、蓋部材６の第１の板部６１の長手方向に沿って相対移動する。
【０１１０】
この相対移動により、図１１（ｃ）に示すように突起２２１ｇの先端部２２１ｈが折り返し部６４２の傾斜面６４２ａに接触すると、この傾斜面６４２ａと先端部２２１ｈとの接触により、折り返し部６４２を回転部材５１の径方向外側に変位させる力が発生する。
【０１１１】
折り返し部６４２は第１係止部６４と一体であるので、折り返し部６４２の変位に伴って第１係止部６４の係止片６４１も回転部材５１の径方向外側に変位し、回転部材５１の第１の凹部５１１ｂと係止片６４１との係合が解除される。つまり、突起２２１ｇは、雄側ハウジング２１と雌側ハウジング２２とが嵌合される際に、係止片６４１による回転部材５１の第１回転位置における係止を解除する方向に係止片６４１を変位させる。
【０１１２】
このように、回転抑止解除機構８は、雌側ハウジング２２側に設けられた突起２２１ｇ、及び傾斜面６４２ａが形成された蓋部材６の折り返し部６４２を構成要素とし、突起２２１ｇの傾斜面６４２ａへの接触により第１係止部６４を回転部材５１の径方向外側に移動させることで、第１の凹部５１１ｂと係止片６４１との係合を解除し、回転部材５１を回転可能とする。
【０１１３】
（回転操作防止機構９の構成）
図１２（ａ）〜（ｃ）は、回転操作防止機構９の構成及び作用を説明する説明図である。これらの図では、蓋部材６に覆われた各部材の輪郭を破線で示している。
【０１１４】
図１２（ａ）は、雄側ハウジング２１と雌側ハウジング２２とが嵌合され、回転抑止解除機構８によって回転部材５１の回転が可能となった状態を示す。この状態では、蓋部材６の工具挿通孔６１ａが回転部材５１の工具受容部５１１ａに対応する位置にあり、工具挿通孔６１ａを介して挿入される工具Ｔによって回転部材５１を回転操作することが可能である。
【０１１５】
また、この状態では、蓋部材６の第１の板部６１に設けられた突出部６１１が、回転部材５１の底部５１１の外側に位置している。蓋部材６は、突出部６１１と回転部材５１の底部５１１との干渉により、第２位置への移動が抑止されている。
【０１１６】
図１２（ｂ）は、回転部材５１が第１回転位置から正方向（図９に示すＲ１方向）に回転操作され、押圧機構５が押圧力を発生した状態を示す。この状態では、突出部６１１が、回転部材５１の底部５１１に形成された第２の凹部５１１ｃの径方向外側の開口に対向し、蓋部材６の第２位置への移動が可能である。この状態における回転部材５１の位置を第２回転位置とする。回転部材５１が第２回転位置にあるとき、回転部材５１とカムリング５２とにより構成されるカム機構は、図９（ａ）に示す完了状態となっている。
【０１１７】
本実施の形態では、第１回転位置から第２回転位置までの正方向の回転角度が１２０°である。従って、蓋部材６は、回転部材５１が第２回転位置まで回転されたとき、つまり回転部材５１の第１回転位置からの回転角度が所定の角度（本実施の形態では１２０°）となり、押圧機構５の押圧力が所定値（本実施の形態では、積層構造となった雄側接続端子３１１〜３１３と雌側接続端子３２１〜３２３との安定的接続が保証される押圧力の値）以上となったとき、第１位置から第２位置への移動が可能となる。
【０１１８】
図１２（ｃ）は、蓋部材６が第１の板部６１の長手方向にスライドし、図７（ｃ），（ｄ）に示す第２位置に移動した状態を示す。この状態は、図４Ａ，図４Ｂに示す状態に相当する。
【０１１９】
この状態では、蓋部材６に設けられた突出部６１１が回転部材５１に形成された第２の凹部５１１ｃと係合すると共に、蓋部材６の工具挿通孔６１ａが回転部材５１の工具受容部５１１ａから外れた位置にある。これにより、工具Ｔによって回転部材５１を回転操作することが不能であり、回転部材５１の回転操作が禁止されている。また、突出部６１１と第２の凹部５１１ｃとの係合により、例えば車両走行時における微振動によって回転部材５１が回転してしまうことが抑止されている。つまり、回転部材５１は、蓋部材６の第１位置から第２位置への移動によって蓋部材６と係合し、この係合により回転部材５１の回転が抑止されている。
【０１２０】
このように、回転操作防止機構９は、蓋部材６と回転部材５１とを構成要素とし、蓋部材６の第１位置から第２位置への移動により、蓋部材６の第１の板部６１によって工具受容部５１１ａを外部から操作できないように遮蔽する。また、この蓋部材６の移動に伴って突出部６１１と第２の凹部５１１ｃとが係合し、回転部材５１の回転を妨げる。これにより、蓋部材６が第２位置にある状態における回転部材５１の回転を抑止する。
【０１２１】
（本実施の形態の作用及び効果）
以上説明した本実施の形態によれば、以下のような作用及び効果が得られる。
【０１２２】
（１）雄側ハウジング２１と雌側ハウジング２２とが嵌合される前の状態では、蓋部材６の係止片６４１と回転部材５１の第１の凹部５１１ｂとの係合により、回転部材５１の回転が抑止されている。これにより、雄コネクタ１１が雌コネクタ１２に結合されていな状態で、例えば作業者が手順を誤って回転部材５１を回転操作しようとしても、この操作が妨げられる。よって、雄側ハウジング２１と雌側ハウジング２２との嵌合前に押圧機構５が作動することが抑制され、雄コネクタ１１と雌コネクタ２２との結合時に雄側接続端子３１１〜３１３と雌側接続端子３２１〜３２３とが押圧された状態で擦れ合うこと等を回避し得る。
【０１２３】
（２）蓋部材６の係止片６４１と回転部材５１の第１の凹部５１１ｂとの係合による回転部材５１の抑止は、雄側ハウジング２１と雌側ハウジング２２との嵌合により解除される。つまり、係止片６４１と第１の凹部５１１ｂとの係合を解除するための特別な操作を要することなく、雄側ハウジング２１と雌側ハウジング２２とを嵌合することにより回転部材５１が回転可能となるので、作業性が向上する。
【０１２４】
（３）係止片６４１と凹部５１１ｂとの係合を解除させる雌側ハウジング２２の突起２２１ｇは、雌側ハウジング２２の収容部２２１ａの内面に設けられているので、係止片６４１と凹部５１１ｂとの係合の解除は、回転部材５１が収容部２２１ａに収容された状態で行われる。これにより、外部からの干渉を防いだ状態で、係止片６４１と凹部５１１ｂとの係合の解除が行われる。
【０１２５】
（４）雌側ハウジング２２の貫通孔２２１ｃは、雄側ハウジング２１と雌側ハウジング２２との嵌合が完了した状態で回転部材５１の工具受容部５１１ａに対応する位置に形成されているので、両ハウジング２１，２２の嵌合が完了していなければ、回転部材５１を回転操作することができない。これにより、雄側ハウジング２１と雌側ハウジング２２との嵌合が不完全な状態で、すなわち係止片６４１と第１の凹部５１１ｂとの係合が十分に解除されていない状態で、回転部材５１が回転操作されることを防ぐことができる。
【０１２６】
（５）蓋部材６は、工具挿通孔６１ａと突出部６１１とを有し、工具挿通孔６１ａに挿入された工具Ｔによって回転部材５１を回転操作可能な第１位置、及び突出部６１１によって回転部材５１の回転が抑止される第２位置の間を移動可能であるので、回転部材５１を回転操作した後に蓋部材６を第２位置に移動させることで、その後に回転部材５１が回転操作されることを防ぐことができる。また、蓋部材６は、回転部材５１が、第２の凹部５１１ｃと突出部６１１との係合が可能な回転位置になければ、第２位置に移動することが出来ないので、回転部材５１の回転が不十分な状態で蓋部材６による回転の抑止がなされることを防ぐことができる。
【０１２７】
（６）蓋部材６は、弾性を有する樹脂材料からなり、蓋部６０と、第１弾性支持部６３及び係止片６４１が設けられた第１係止部６４とを一体に有するので、例えば射出成型により、容易に製造することが可能である。
【０１２８】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【０１２９】
例えば、コネクタ装置１０の用途は、車両の駆動源である電気モータへ電流を供給する電流供給経路に設けられるものに限らず、その他の用途に用いることも可能である。また、接続される電線の数にも制限はない。
【０１３０】
また、本実施の形態では、第１〜第４絶縁部材４１〜４４が雌側ハウジング２２に保持された場合について説明したが、第１〜第４絶縁部材４１〜４４は、雄側ハウジング２１に保持されていてもよい。
【０１３１】
また、本実施の形態では、回転部材５１を回転させても、回転部材５１の回転軸線Ｏ方向の位置が変わらないように押圧機構５を構成したが、これに限らず、回転部材５１の回転により、回転部材５１が雄側接続端子３１１〜３１３、雌側接続端子３２１〜３２３、及び第１〜第４絶縁部材４１〜４４からなる積層構造に接近するように移動するように構成してもよい。
【０１３２】
また、本実施の形態では、蓋部材６が回転部材５１の一部を覆うように構成したが、蓋部材６は回転部材５１の全体を覆うように構成してもよい。またさらに、本実施の形態では、雌側ハウジング２２の収容部２２１ａが、雄側ハウジング２１の一部である第１エレメント２２１の筒部２２１ａを収容するようにコネクタ装置１０を構成したが、これに限らず、雌側ハウジング２２の収容部２２１ａが、雄側ハウジング２１の全体を収容するように構成してもよい。
【符号の説明】
【０１３３】
５…押圧機構、６…蓋部材、７…回転抑止機構、８…回転抑止解除機構、９…回転操作防止機構、１０…コネクタ装置、１１…雄コネクタ、１２…雌コネクタ、１４…カバー部材、２１…雄側ハウジング、２２…雌側ハウジング、３１ｃ…貫通孔、４１〜４４…第１〜第４絶縁部材、４１ａ，４２ａ，４３ａ…凹部、５１…回転部材、５２…カムリング、５４…出力部材、６０…蓋部、６０ａ…表面、６０ｂ…裏面、６１…第１の板部、６１ａ…工具挿通孔、６２…第２の板部、６３…第１弾性支持部、６３ａ…根元部、６３ｂ…先端部、６４…第１係止部、６５…第２弾性支持部、６６…第２係止部、６７…被支持部、６８…第１アーム、６９…第２アーム、１３１，１３２，１３３…電線、１３１ａ，１３２ａ，１３３ａ…芯線、１３１ｂ，１３２ｂ，１３３ｂ…絶縁被膜、２１１…第１エレメント、２１１ａ…筒部、２１１ｂ…フランジ部、２１１ｃ…保持孔、２１１ｄ…突起、２１１ｅ…支持突起、２１１ｆ…係止突起、２１１ｇ…嵌合突起、２１１ｉ，２１１ｊ…案内溝、２１１ｋ…凸部、２１２…第２エレメント、２１２ａ…支持部、２１２ｂ…保持部、２１２ｃ…端子台部、２１２ｄ…挿通孔、２１３…第３エレメント、２１３ａ…突起部、２１３ｂ…ガイド、２１４…環状保持部材、２２１…第１エレメント、２２１ａ…収容部、２２１ｂ…保持部、２２１ｃ…貫通孔、２２１ｄ…嵌合凹部、２２１ｅ…開口、２２１ｆ…開口、２２１ｇ…突起、２２１ｈ…先端部、２２１ｉ…根元部、２２２…第２エレメント、２２３，２２４…シール部材、２３１，２３２…環状シール部材、２３３〜２３７…シール部材、３１１〜３１３…雄側接続端子、３２１〜３２３…雌側接続端子、３１１ａ，３１２ａ，３１３ａ…接触片、３１１ｂ，３１２ｂ，３１３ｂ…連結部、３１１ｃ，３１２ｃ，３１３ｃ…座金片、３２１ａ，３２２ａ，３２３ａ…接触片、３２１ｂ，３２２ｂ，３２３ｂ…加締め部、５１１…底部、５１１ａ…工具受容部、５１１ｂ…第１の凹部、５１１ｃ…第２の凹部、５１２…円筒部、５１２ａ…環状凹所、５１２ｂ…摺動突起、５２１…底部、５２２…円筒部、５２２ａ…小径部、５２２ｂ…大径部、５２２ｄ…凹部、５２２ｅ…ストッパ部、５２２ｃ…スライド溝、５２３…摺動面、５２３ａ…第１の平坦面、５２３ｂ…傾斜面、５２３ｃ…第２の平坦面、６１１…突出部、６４１…係止片、６４２…折り返し部、６４２ａ…傾斜面、６６１…係止片、６８１，６９１…係合突起、Ｏ…回転軸線、Ｔ…工具
【図１Ａ】
0005648591.tif 000002
【図１Ｂ】
0005648591.tif 000003
【図２Ａ】
0005648591.tif 000004
【図２Ｂ】
0005648591.tif 000005
【図３】
0005648591.tif 000006
【図４Ａ】
0005648591.tif 000007
【図４Ｂ】
0005648591.tif 000008
【図５】
0005648591.tif 000009
【図６】
0005648591.tif 000010
【図７】
0005648591.tif 000011
【図８】
0005648591.tif 000012
【図９】
0005648591.tif 000013
【図１０】
0005648591.tif 000014
【図１１】
0005648591.tif 000015
【図１２】
0005648591.tif 000016